(57)【要約】【課題】天井の外周部を安定よく支持することができる見切り縁を提供することである。【解決手段】野縁１２にねじ止めされる固定バー３１とその固定バー３１とで見切り縁を形成する支持バー３２とをクリップ３３によって着脱自在に連結する。固定バー３１に複数の押え片３６を設け、支持バー３２には支持片３７を設け、その支持片３７と押え片３６で天井２０の外周部の上下方向への移動を防止して、天井２０の外周部の支持の安定化を図る。【選択図】図４
2006016848.tif 000002
【特許請求の範囲】
【請求項１】
天井下地に支持される天井の壁面と接する部分に設けられる見切り縁において、前記天井下地に取付けられる固定バーと、その固定バーの下面側に取付けられる支持バーと、その支持バーを固定バーに着脱自在に取付ける連結具とから成り、前記固定バーには天井の上面外周部を押える複数の押え片を固定バーの長さ方向に間隔をおいて設け、前記支持バーには天井の下面外周部を支持する支持片を設けたことを特徴とする見切り縁。
【請求項２】
前記連結具が、断面形状をコの字形とされ、その対向側板に前記固定バーの下面両側に設けられた一対のＬ形突条に対して係合可能な外向きのフック片と、支持バーの上面両側に設けられたＬ形突条に対して係合される外向きに傾斜した弾性変形可能な切り起こしの係合片とが設けられたクリップから成る請求項１に記載の見切り縁。
【請求項３】
前記支持バーに形成された一対のＬ形突条のうち、前記支持片側に位置する一方のＬ形突条を支持バーの長さ方向に不連続な突条とし、その不連続なＬ形突条と他方のＬ形突条間を天井上面に沿って流れる漏水の集水用樋部とした請求項２に記載の見切り縁。
【発明の詳細な説明】
【技術分野】
【０００１】
この発明は、天井の壁面と接する部分に設けられる見切り縁に関するものである。
【背景技術】
【０００２】
天井スラブに多数の吊りボルトの上部を固定し、その吊りボルトにより吊り下げ支持された天井下地に天井パネルを取付けて天井を形成することは従来から普通に行なわれている。
【０００３】
上記のような天井構造においては、天井の壁面と接する部分に見切り縁を取付けて天井と壁面間に形成される隙間を隠蔽することが行なわれている。
【発明の開示】
【発明が解決しようとする課題】
【０００４】
ところで、従来から知られている見切り縁においては、壁面に固定する取付けであり、その見切り縁を天井下地に支持される天井の高さに応じて取付ける必要があるため、取付けに非常に手間がかかるという不都合があった。
【０００５】
また、見切り縁は天井の下面外周部を支持する構成であるため、その下面外周部が押し上げられると上方に移動し、天井の外周部の安定性が悪いという不都合があった。
【０００６】
この発明の課題は、天井の外周部を安定よく支持することができる取付けの容易な見切り縁を提供することである。
【課題を解決するための手段】
【０００７】
上記の課題を解決するために、この発明においては、天井下地に支持される天井の壁面と接する部分に設けられる見切り縁において、前記天井下地に取付けられる固定バーと、その固定バーの下面側に取付けられる支持バーと、その支持バーを固定バーに着脱自在に取付ける連結具とから成り、前記固定バーには天井の上面外周部を押える複数の押え片を固定バーの長さ方向に間隔をおいて設け、前記支持バーには天井の下面外周部を支持する支持片を設けた構成を採用したのである。
【０００８】
ここで、連結具として、断面形状をコの字形とされ、その対向側板に前記固定バーの下面両側に設けられた一対のＬ形突条に対して係合可能な外向きのフック片と、支持バーの上面両側に設けられたＬ形突条に対して係合される外向きに傾斜した弾性変形可能な切り起こしの係合片とが設けられたクリップを採用すると、天井下地に取付けられた固定バーのＬ形突条にクリップの外向きのフック片を係合してクリップを取付け、そのクリップの下方から支持バーを対向するＬ形突条間にクリップの下部が嵌合されるようにして固定バーの下面に向けて移動させると、クリップの係合片が支持バーの上面に設けられたＬ形突条に係合して固定バーと支持バーが結合状態に保持されるため、見切り縁をきわめて簡単に取付けることができる。
【０００９】
また、前記支持バーに形成された一対のＬ形突条のうち、前記支持片側に位置する一方のＬ形突条を支持バーの長さ方向に不連続な突条とし、その不連続なＬ形突条と他方のＬ形突条間を天井上面に沿って流れる漏水の集水用樋部とすると、長さ方向に傾斜する金属製天井パネルをその幅方向に順次接続して形成された地下空間の天井構造への採用において、天井スラブから天井上面に滴下する漏水を、その天井上面から樋部に集水することができ、天井パネルの接続部間から地下空間内に漏水が滴下するのを防止することができる。
【発明の効果】
【００１０】
上記のように、天井を支持する天井下地に固定バーを取付け、その固定バーに連結具を介して支持バーを取付けるようにしたので、天井の高さに適した位置に見切り縁をきわめて簡単に取付けることができる。
【００１１】
また、固定バーに天井の上面外周部を押える押え片を設け、支持バーに天井の下面外周部を支持する支持片を設けたことにより、天井の外周部の上下方向への移動を防止することができ、天井の外周部における支持の安定化を図ることができる。
【発明を実施するための最良の形態】
【００１２】
以下、この発明の実施の形態を図面に基づいて説明する。図は、この発明に係る見切り縁を採用した地下室や地下街等の地下空間における天井構造を示している。
【００１３】
図１乃至図３に示すように、天井スラブ１には複数の吊りボルト２の上部が固定され、各吊りボルト２の下端部に取付けられたハンガー３によって天井下地１０が支持されている。
【００１４】
天井下地１０は、上記ハンガー３によって支持された複数の平行に配置された野縁受け１１と、その野縁受けに対して直交する方向に延びる野縁１２と、その野縁１２と野縁受け１１の交差部を連結するクリップ１３とから成り、その天井下地１０によって天井２０が支持されている。
【００１５】
天井２０は複数の天井パネル２１から成る。図２に示すように、天井パネル２１は、金属薄板の折曲げ成形品から成る。この天井パネル２１は、細長い帯板状のパネル本体２１ａの両側に一対のフランジ２１ｂを上向きに設け、一方のフランジ２１ｂの上縁部に内向きの折曲片２１ｃを設けると共に、その折曲片２１ｃの側縁に外向きの取付片２１ｄを形成して、内向き折曲片２１ｃとの間に接続溝２１ｅを設け、他方のフランジ２１ｂの上縁に上記接続溝２１ｅに挿入可能な挿入片２１ｆを設けた樋状の構成とされている。
【００１６】
上記複数の天井パネル２１は前記野縁１２と直交する配置とされて、挿入片２１ｆが隣接する天井パネル２１の接続溝２１ｅに挿入され、外向き取付片２１ｄの下面から野縁１２にねじ込まれる図３に示すタッピングねじ２２の締付けによって上記外向き取付片２１ｄが野縁１２に固定されている。
【００１７】
また、複数の天井パネル２１は、長さ方向の一端から他端に向けて緩やかな勾配をもつ傾斜状の取付けとされている。
【００１８】
なお、天井２０を形成する複数の天井パネル２１のうち、両側の天井パネル２１には、フランジ２１ｂの一方が除去された天井パネル２１が採用されている。
【００１９】
天井２０の壁面Ｗと接する部分の外周の４辺には見切り縁３０が設けられている。図３乃至図６に示すように、見切り縁３０は固定バー３１と、その固定バー３１の下面に取付けられる支持バー３２と、その支持バー３２を固定バー３１に連結する連結具としてのクリップ３３とから成っている。
【００２０】
図３に示すように、固定バー３１は、その下方から野縁１２にねじ込まれるタッピングねじ３４によって上記野縁１２に固定される。図４に示すように、固定バー３１の下面両側部には断面形状をＬ形とする一対の突条３５が設けられ、固定バー３１の取付け状態で内側に配置される一方の突条３５の下面長さ方向に天井２０の上面外周部を押える複数の押え片３６が間隔をおいて形成されている。
【００２１】
支持バー３２にはその取付け状態において内側となる側部に天井２０の下面外周部を支持する支持片３７が設けられている。また、支持バー３２の上面両側部には断面形状をＬ形とする一対の突条３８が設けられ、上記支持片３７側に設けられた突条３８は長さ方向に分断された不連続な突条３８から成っている。
【００２２】
一対の突条３８間は樋部３９とされ、天井パネル２１の傾斜上面に沿って流れる水を集水し得るようになっている。
【００２３】
図４および図６に示すように、クリップ３３は、断面コの字形とされ、その対向する側板４０の上縁には固定バー３１のＬ形突条３５に対して係合可能な外向きのフック片４１が設けられている。また、対向する側板４０のそれぞれには外側方向に向けて傾斜する切り起こしの係合片４２が形成されている。この係合片４２は弾性を有し、前記支持バー３２に形成されたＬ形突条３８に対して係合可能とされている。
【００２４】
ここで、図６に示すように、固定バー３１および支持バー３２が複数の固定バー３１および支持バー３２から成る場合、固定バー３１の端面同士および支持バー３２の端面同士を互に突き合わせ、その突き合わせ端部をジョイント具４３を介して互に連結する。
【００２５】
なお、図４において、４４は支持片３７と天井パネル２１の接触部の水密を保持するシール部材を示す。
【００２６】
実施の形態で示す天井構造は上記の構造から成り、その組立てに際しては、野縁１２に対する天井パネル２１のねじ止めと、接続溝２１ｅに対する挿入片２１ｆの挿入による天井パネル２１の接続とを交互に行なって天井２０を形成し、その天井２０の形成前又は形成後に、見切り縁３０の固定バー３１を野縁１２にねじ止めし、その固定バー３１に支持バー３２を連結して見切り縁３０を組立てる。
【００２７】
上記見切り縁３０の組立てに際しては、野縁１２に対する固定バー３１の取付け後、固定バー３１の下面の一対のＬ形突条３５にクリップ３３のフック片４１を係合して複数のクリップ３３を固定バー３１の長さ方向に間隔をおいて取付け、そのクリップ３３の下部が支持バー３２の一対のＬ形突条３８の上部間に嵌合されるようにして支持バー３２を固定バー３１の下方に配置し、その支持バー３２を固定バー３１の下面に当接する位置まで押し上げる。
【００２８】
上記支持バー３２の押し上げにより、Ｌ形突条３８の上端の内向き片がクリップ３３の係合片４２を押圧するため、係合片４２が内方に弾性変形し、上記内向き片が係合片４２の上端を通過すると、係合片４２は自己の復元弾性により外方に倒れて上記Ｌ形突条３８と係合し、図４に示すように、固定バー３１に支持バー３２が連結され、見切り縁３０は組立て状態とされる。
【００２９】
このように、野縁１２に対する固定バー３１の取付け後、その固定バー３１の一対のＬ形突条３５にクリップ３３を取付け、そのクリップ３３の下部が支持バー３２の一対のＬ形突条３８間に嵌合されるようにして支持バー３２を固定バー３１の下面に当接する位置まで押し上げることによって固定バー３１に支持バー３２を連結することができるため、見切り縁３０を簡単に組立てることができると共に、その見切り縁３０の組立てにより、支持片３７が天井２０の下面外周部を支持するため、見切り縁３０を天井２０の取付け高さに対応する位置に簡単に取付けることができる。
【００３０】
また、見切り縁３０の取付け状態において、支持片３７は天井２０の下面外周部を支持し、固定バー３１の押え片３６は天井２０上面外周部を押えるため、天井２０の外周部の上下方向への移動を防止し、天井２０の外周部の支持の安定化を図ることができる。
【００３１】
さらに、支持バー３２の一対のＬ形突条３８間に樋部３９を形成したことにより、天井スラブ１から傾斜状の天井パネル２１に漏水が滴下した場合に、その漏水を樋部３９に集水することができる。
【００３２】
このため、天井パネル２１上に漏水が溜って天井パネル２１の接続部間から地下空間内に漏洩するのを防止することができる。
【図面の簡単な説明】
【００３３】
【図１】この発明に係る見切り縁を採用した天井構造の斜視図
【図２】図１の縦断正面図
【図３】図１の縦断側面図
【図４】図３の見切り縁取付け部を拡大して示す断面図
【図５】見切り縁の接続部を示す断面図
【図６】見切り縁の分解斜視図
【符号の説明】
【００３４】
１０    天井下地
３１    固定バー
３２    支持バー
３３    クリップ
３５    Ｌ形突条
３６    押え片
３７    支持片
３８    突条
３９    樋部
４０    側板
４１    フック片
４２    係合片
【図１】
2006016848.tif 000003
【図２】
2006016848.tif 000004
【図３】
2006016848.tif 000005
【図４】
2006016848.tif 000006
【図５】
2006016848.tif 000007
【図６】
2006016848.tif 000008